【事件の表示】
　平成　５年特許願第　　６９８２号「自動給紙装置及び記録装置」拒絶査定不服審判事件〔平成　６年　８月　２日出願公開、特開平　６−２１１３６７〕について、次のとおり審決する。
【結　論】
　本件審判の請求は、成り立たない。
【理　由】
１　本願発明
　本願は、平成５年１月１９日の出願であって、その請求項１２に係る発明（以下、「本願発明」という。）は、平成１３年６月１８日付けの手続補正書により補正された明細書の特許請求の範囲の請求項１２に記載されたとおりの次のものである。
「【請求項１２】シートに記録をする記録部と、給送するためのシートを積載支持するために位置を固定して設けられたシート支持手段と、
　前記シート支持手段の上方で上下移動可能に設けられ、該シート支持手段に積載されている最上位のシートに圧接して送り込むための予備ローラと、
　前記予備ローラを下方に付勢するための予備ローラバネと、
　前記シート支持手段の上方に設けられ、前記予備ローラを前記シート支持手段に積載されているシートと圧接する作用位置とシートの上方へ離間する不作用位置との間で移動させる予備ローラ移動手段と、
　前記シート支持手段の下流側に隣接させて位置を固定して配置された摩擦分離部材と、
　前記摩擦分離部材の上方で上下移動可能に設けられ、前記予備ローラにより送り込まれたシートを前記摩擦分離部材との間で一枚ずつ分離して前記記録部に送り出す分離ローラと、
　前記分離ローラを下方に付勢するための分離ローラバネと、
　前記摩擦分離部材の上方に設けられ、前記分離ローラを前記摩擦分離部材と圧接する作用位置と該摩擦分離部材の上方へ離間する不作用位置との間で移動させる分離ローラ移動手段と、
を備え、
　前記分離ローラ移動手段及び前記予備ローラ移動手段は、シートが前記分離ローラの下流側に配置されている搬送手段により搬送が開始された後に前記分離ローラ及び前記予備ローラをそれぞれ前記作用位置から上方の前記不作用位置とに移動させることを特徴とする記録装置。」
　
２　引用例の記載事項引例
  これに対して、原査定の拒絶の理由に引用された、本願の出願前に頒布された特開昭６２−１６９５１号公報（以下、「引用例」という。）には、図面とともに、次の記載がある。
・記載１（１頁右下欄８〜１０行）
 「この発明は、単票の用紙（複写用紙）を連続的に複写機内へ送給するときに使用される複写機の給紙装置に関する。」
・記載２（２頁左上欄１０〜１７行）
「そして、図示していない手差しソレノイドがオフの状態では、第２図（Ａ）のように手差しゲート２が給紙トレー１の上部へ突出して上部位置に設定されており、給紙トレー１にセットされた多数枚の用紙Ｐの先端が揃えられていると共に、呼込みローラ４が上記用紙Ｐから離反され、かつ、逆転ローラ５が給紙ローラ３から離反されて給紙ローラ３との間に隙間Ｓが形成されている。」
・記載３（２頁右上欄４〜左下欄３行）
「この状態から手差しソレノイドがオンに切り換えられると、第２図（Ｂ）に矢印ａ、ｂ、ｃで示したように、‥‥呼込みローラ４が用紙Ｐに当接し、かつ、逆転ローラ５が給紙ローラ３に当接して加圧状態になる。これによって、給紙準備が完了する。手差しソレノイドがオンしてから一定時間後（数秒後）に第２図（Ｃ）に矢印ｄ，ｅ，ｆで示したように給紙ローラ３、呼込みローラ４及び逆転ローラ５が回転を開始する。これにより給紙トレー１上の最も上の用紙（以下、一枚目の用紙という。）Ｐ１が給紙ガイド７へ送り込まれる。このとき一枚目の用紙Ｐ１にその下の用紙（以下、二枚目の用紙という。）Ｐ２が引きずられることが多々あるが、この二枚目の用紙Ｐ２は給紙ローラ３とは逆方向に回転している逆転ローラ５によってさばかれる。従って、給紙ガイド７へは一枚目の用紙Ｐ１のみが送り込まれる。」
・記載４（２頁左下欄３行目ないし右下欄２行）
「こうして給紙ガイド７へ送り込まれた一枚目の用紙Ｐ1が第２図（Ｄ）のように搬送ローラ始動用スイッチ９をオンする。このスイッチ９がオンされると搬送ローラ６が回転を開始する。‥‥また、スイッチ９がオンしてから一定時間後であって用紙Ｐ1が搬送ローラ６によって送られている間に手差しソレノイドがオフに切り換り、‥‥手差しソレノイドがオフに切り換わると逆転ローラ５が第２図（Ｅ）に示した矢印ｃ´のように給紙ローラ３から離反して隙間Ｓが形成され、逆転ローラ５によるさばき作用が二枚目の用紙Ｐ2に作動しなくなる。」
　
　そして、引用例記載の複写機がシートに記録をする記録部を有することは、技術常識に照らせば、明らかである。
　また、引用例に明記はないものの、引用例記載の複写機が呼込みローラ４を用紙から離反あるいは用紙に当接させる呼込みローラ移動手段を備えていること、用紙の送り先が記録部であることは、技術常識に照らせば、当業者に明らかである。
　引用例には、搬送ローラ６が回転を開始した後、用紙が搬送ローラ６によって送られている間に手差しソレノイドがオフに切り換わることが記載され（記載４参照）、手差しソレノイドがオフの状態では、呼込みローラが用紙から離反することが記載されている（記載２参照）から、引用例には、搬送ローラ６により用紙搬送が開始された後に、呼込みローラを用紙から離反させることが記載されており、この様な呼込みローラの移動を行わせるのは上記呼込みローラ移動手段であることは、当業者に明らかである。
　
　以上のことから、引用例には、以下の発明が記載されていると認められる。
「シートに記録をする記録部と、
給送するためのシートを積載支持するために設けられた給紙トレーと、
　給紙トレーの上方に設けられ、用紙から上方へ離反あるいは給紙トレー１上の最上位の用紙に当接して送り込むための呼込みローラ４と、
　呼込みローラ４を用紙から上方へ離反あるいは用紙に当接させる呼込みローラ移動手段と、
　給紙トレーの下流側に隣接させて配置され、用紙から下方へ離反あるいは用紙に当接可能な逆転ローラ５と、
　逆転ローラ５の上方に設けられ、呼込みローラ４により送り込まれた用紙を逆転ローラ５との間で一枚ずつ分離して記録部に送り出す給紙ローラ３と、
　を備え、
　呼込みローラ移動手段は、用紙が給紙ローラ３の下流側に配置されている搬送ローラ６により搬送が開始された後に呼込みローラを用紙から上方に離反させ、
　逆転ローラ５が用紙から離反して用紙に作用しなくなる、
複写機」
　
３　対比
　そこで、本願発明と引用例記載の発明とを対比すると、引用例記載の発明の「シート」、「給紙トレー」、「呼込みローラ」、「呼込みローラ移動手段」、「給紙ローラ」及び「複写機」は、それぞれ本願発明の「用紙」、「シート支持手段」、「予備ローラ」、「予備ローラ移動手段」、「分離ローラ」及び「記録装置」に相当する。
　引用例記載の発明の、給紙トレーの上方に設けられた「呼込みローラ４」は、用紙から上方へ離反あるいは用紙に当接するから、上下移動可能であるといえる。
　引用例記載の発明の「呼込みローラ移動手段」の「呼込みローラ４を用紙から上方へ離反させあるいは用紙に当接させる」は、本願発明の「前記予備ローラを前記シート支持手段に積載されているシートと圧接する作用位置とシートの上方へ離間する不作用位置との間で移動させる」に対応し、引用例記載の発明の「呼込みローラを用紙から上方に離反させ」は、本願発明の「前記作用位置から上方の前記不作用位置とに移動させ」に対応する。
　引用例記載の発明の「逆転ローラ５が用紙から離反して用紙に作用しなくなる」は、「逆転ローラ５が作用位置から下方の不作用位置に移動する」と言い換えることができる。
　
　そうすると、本願発明と引用例記載の発明は、
「シートに記録をする記録部と、
　給送するためのシートを積載支持するために設けられたシート支持手段と、
　前記シート支持手段の上方で上下移動可能に設けられ、該シート支持手段に積載されている最上位のシートに接して送り込むための予備ローラと、
　前記予備ローラを前記シート支持手段に積載されているシートと接する作用位置とシートの上方へ離間する不作用位置との間で移動させる予備ローラ移動手段と、
　前記予備ローラにより送り込まれたシートを一枚ずつ分離して前記記録部に送り出す分離ローラと、
を備え、
　前記予備ローラ移動手段は、シートが前記分離ローラの下流側に配置されている搬送手段により搬送が開始された後に前記予備ローラを前記作用位置から上方の前記不作用位置とに移動させる
記録装置。」
である点で一致し、以下の点で相違する。
　相違点１
　本願発明では、シート支持手段が位置を固定して設けられているのに対し、引用例記載の発明では、シート支持手段が位置を固定して設けられているのか否か不明である。
　相違点２
　本願発明は、予備ローラを下方に付勢しシートに圧接するための予備ローラバネを備えているのに対して、引用例記載の発明は、そのような予備ローラバネを備えているのか否か不明である点。
　相違点３
　本願発明では、予備ローラ移動手段が、シート支持手段の上方に設けられているのに対し、引用例記載の発明では、予備ローラ移動手段が設けられている位置が不明である点。
　相違点４
　本願発明は、シート支持手段の下流側に隣接させて位置を固定して配置された摩擦分離部材と、摩擦分離部材の上方で上下移動可能に設けられ、送り込まれたシートを摩擦分離部材との間で一枚ずつ分離して記録部に送り出す分離ローラと、分離ローラを下方に付勢するための分離ローラバネと、摩擦分離部材の上方に設けられ、分離ローラを摩擦分離部材と圧接する作用位置と該摩擦分離部材の上方へ離間する不作用位置との間で移動させる分離ローラ移動手段と、を備えているのに対して、引用例記載の発明は、シート支持手段の下流側に隣接させて配置された上下移動可能な逆転ローラと、該逆転ローラの上方に設けられた分離ローラとを備えている点。
　相違点５
　本願発明では、分離ローラ移動手段は、シートが分離ローラの下流側に配置されている搬送手段により搬送が開始された後に分離ローラ作用位置から上方の不作用位置とに移動させるのに対して、引用例記載の発明では、シートが分離ローラの下流側に配置されている搬送手段により搬送が開始された後に逆転ローラ５は作用位置から下方の不作用位置に移動する点。
　
４　相違点の検討
　上記相違点について検討する。
（１）相違点１について
　記録装置において、シートを積載支持するためのシート支持手段の位置を固定するか否かは、当業者が必要に応じ適宜決めうる設計的事項である。
（２）相違点２について
　記録装置のシート分離手段において、シートを分離するためのローラを作用位置に付勢するバネを設けることは、本願の出願前に周知の技術的事項（例えば、ア．特開平３−２８８７３５号公報、イ．特開昭６２−２１１２４２号公報、ウ．特開平２−１２３０３９号公報参照）であり、引用例記載の発明におけるシート分離手段の一部をなす予備ローラに、ローラを作用位置に付勢するバネを設けるという上記周知の技術的事項を適用して、相違点２に係る本願発明の構成とすることは、当業者が容易になし得たことである。
（３）相違点３について
　引用例記載の発明において、予備ローラはシート支持手段の上方に設けられているから、予備ローラを移動させるための予備ローラ移動手段を予備ローラと同じ側、即ち、シート支持手段の上方に設けることは、当業者が容易になし得たことである。
（４）相違点４について
　記録装置のシート分離手段として、摩擦分離部材と、摩擦分離部材の上方で上下移動可能に設けられ、送り込まれたシートを摩擦分離部材との間で一枚ずつ分離して記録部に送り出す分離ローラと、分離ローラを下方に付勢するための分離ローラバネと、摩擦分離部材の上方に設けられ、分離ローラを摩擦分離部材と圧接する作用位置と該摩擦分離部材の上方へ離間する不作用位置との間で移動させる分離ローラ移動手段とからなるものは、本願の出願前に周知の技術的事項（例えば、上記周知例ア．イ．参照。）であるから、引用例記載の発明におけるシート分離手段である、逆転ローラと該逆転ローラの上方に設けられた分離ローラとからなる構成に代えて、摩擦分離部材と分離ローラとからなる上記周知の技術的事項を採用して本願発明の相違点４に係る構成とすることは、当業者が容易に想到し得たことである。
（５）相違点５について
　引用例記載の発明では、シートが分離ローラの下流側に配置されている搬送手段により搬送が開始された後に、逆転ローラ５が作用位置から下方の不作用位置に移動するものであることから、本願発明において、シートが分離ローラの下流側に配置されている搬送手段により搬送が開始された後に、分離ローラ移動手段により分離ローラを作用位置から上方の不作用位置に移動させるようにすることは、上記相違点４において、逆転ローラと該逆転ローラの上方に設けられた分離ローラとからなる構成に代えて、摩擦分離部材と分離ローラとからなる上記周知の技術的事項を採用する際に行う、単なる設計変更にすぎない。
　本願発明が奏する作用、効果も、引用例記載の発明及び周知の技術事項から当業者が予測できる範囲のものであり、格別顕著なものとはいえない。
　
５　むすび
　したがって、本願発明は、引用例記載の発明及び周知の技術事項に基いて当業者が容易に発明をすることができたものであるから、特許法２９条２項の規定により特許を受けることができない。
　よって、結論のとおり審決する。